(57)【要約】    【課題】  受信先が自分宛の情報を任意の時間に任意の機器で出力可能にすることができるデータ処理装置を提供する。    【解決手段】  インターネット通信網により接続されたサーバ１２と複合機１０との間をデータ通信によりデータの送受信を行う。データの送受信は、指定されたアドレス宛にデータの送受信が行われる。アドレス宛のデータをサーバ１２で一次受信を行う。複合機１３１は、サーバ１２と接続され、前記アドレス宛の情報を受信して、データの出力を行ったり、所定の端末へデータの転送を行う。受信者が、自分に割り当てられたアドレスを複合機１３１に入力し、アドレス認証部３３で認証が成立した場合のみ、サーバ１２で受信された前記アドレス宛のデータの処理を可能にする。【選択図】      図３
2006293703.tif 000002
【特許請求の範囲】
【請求項１】
ネットワーク通信網を通して所定のアドレス宛のデータを受信する受信装置で受信されたデータを受け取って処理するデータ処理装置であって、
前記アドレスを認証する認証手段と、
前記受信装置で受信された前記アドレス宛のデータの処理を前記認証手段の認証結果に応じて制御するデータ制御手段を備えたことを特徴とするデータ処理装置。
【請求項２】
前記データ制御手段は、前記認証手段で認証が成立した場合のみ、前記受信装置で受信された前記アドレス宛のデータの処理を可能にする構成としたことを特徴とする請求項１記載のデータ処理装置。
【請求項３】
前記認証手段は、外部のアドレス認証端末から出力されたアドレスと前記受信装置で受信されたデータのアドレスとの照合を行う構成であり、
前記アドレス認証端末から出力されたアドレス宛のデータが存在するか否かの通知を行う受信データ通知手段を備えたことを特徴とする請求項１又は２に記載のデータ処理装置。
【請求項４】
前記認証手段は、前記アドレス認証端末からのアドレスを無線で取得する構成としたことを特徴とする請求項３に記載のデータ処理装置。
【請求項５】
前記受信データ通知手段は、前記アドレス宛のデータが存在するか否かの状態と共に、該データの種類及び大きさも付加して通知することを特徴とする請求項３に記載のデータ処理装置。
【請求項６】
前記データ制御手段は、
前記アドレス宛のデータをその種類及び大きさでそのまま出力するか、当該データ処理装置とは別のデータ処理装置に出力させるか、或いは前記アドレス宛のデータを電子データに加工するかを選択する選択手段を有することを特徴とする請求項１乃至５に記載のデータ処理装置。
【請求項７】
前記アドレスは、ＩＰｖ６（Ｉｎｔｅｒｎｅｔ  Ｐｒｏｔｏｃｏｌ  Ｖｅｒ６）のＩＰアドレス自動生成プロトコルで生成される端末機器固有のホストアドレスであり、個人若しくは所定のグループに割り当てられることを特徴とする請求項１乃至６に記載のデータ処理装置。
【請求項８】
ネットワーク通信網を通して所定のアドレス宛のデータを受信する受信装置で受信されたデータを受け取って処理するデータ処理装置の制御方法であって、
前記アドレスを認証する認証工程と、
前記受信装置で受信された前記アドレス宛のデータの処理を前記認証工程の認証結果に応じて制御するデータ制御工程とを順次実行することを特徴とするデータ処理装置の制御方法。
【請求項９】
ネットワーク通信網を通して所定のアドレス宛のデータを受信する受信装置で受信されたデータを受け取って処理するデータ処理装置の制御方法を実行するための、コンピュータで読み取り可能な制御プログラムであって、
前記アドレスを認証する認証ステップと、
前記受信装置で受信された前記アドレス宛のデータの処理を前記認証ステップの認証結果に応じて制御するデータ制御ステップとを備えたことを特徴とする制御プログラム。
【発明の詳細な説明】
【技術分野】
【０００１】
本発明は、インターネット等のネットワーク通信網を通して受信された所定のアドレス宛のデータを処理するデータ処理装置及びその制御方法、及び制御プログラムに関する。
【背景技術】
【０００２】
原稿に記載された文字や図形を画情報として読み込み、特定の相手端末に送信するファクシミリ端末がオフィスや家庭等に広く普及している。従来のファクシミリ端末は、送受信部とプリンタとが一体になっており、送信者はこの端末からファックス番号を入力することにより受信者側へ画情報を送信し、受信側では受信した画情報をプリンタより出力する。
【０００３】
このようなファクシミリ端末をオフィス等で使用する場合には、通常、複数の使用者で共同使用することが行われている。そこで、従来では、使用者が自分宛のファックス出力物を何度も確認する煩雑な作業を回避するため、ファクシミリ受信があるとその受信者が使用している電話機などへ受信通知を行う技術が提案されている（例えば、特許文献１及び特許文献２）。
【０００４】
特許文献１では、使用者コードと暫定送信者の電話番号を入力して蓄積しておき、ファクシミリ端末の受信時に送信者の電話番号を検出し、検出された送信者の電話番号が前記蓄積された暫定送信者電話番号と一致するか否かを判定する。そして、一致すると判定された暫定送信者電話番号に対応する使用者に対して報告メッセージを、スピーカ、構内電話或いはパーソナルコンピュータ端末機を通じて伝送する。
【０００５】
また、特許文献２では、受信者個人番号を電話番号に対応付けて記憶しておく電話番号テーブルを備え、ファクシミリ端末着信時に受信した信号から受信者個人番号を抽出し、抽出された受信者個人番号に対応付けられた電話番号を前記電話番号テーブルから取得し、取得された電話番号に対応する電話機へファクシミリ端末が受信された旨を示す受信通知を送信する。
【特許文献１】特開平６−２２５０６２号公報（特許第２７３２７６６号）
【特許文献２】特開２０００−２０１２６７号公報
【発明の開示】
【発明が解決しようとする課題】
【０００６】
しかしながら、上記従来技術のようにファクシミリ受信時に受信者が受信通知を受けるような構成であっても、受信側の使用者は、受信原稿が出力されたファクシミリ端末まで出向いて出力原稿を受け取る必要がある。そのため、次のような問題点があった。
【０００７】
（１）オフィス等でファクシミリを共有使用している場合には、ある受信者へ送信されてきた出力物を受信者本人が取りにくるまで、他人が容易に出力物を閲覧できる状態になっており、セキュリティの面で問題があった。さらに、受信者の出力物が他人の出力物に混在してしまって受信者が確実に出力物を得られない場合があった。
【０００８】
（２）例えばオフィスの配置替えなどによって、使用者が今まで使用していたファクシミリ端末から遠方に移動したような場合でも、同様である。このような場合に、移動先の最寄りのファクシミリ端末で出力原稿を得るようにするには、取引先等の送信者全てに対して、移動の度に移動先のファックス番号を通知する必要があった。
【０００９】
本発明は上記従来の問題点に鑑み、受信者へ送信されてきた出力物のセキュリティを確保しつつ、受信者が確実に出力物を得ることができると共に、受信者が何処に移動しても、送信者は常に同じ送信先で送信することにより受信者が確実に受信データを得ることができるデータ処理装置及びその制御方法、及び制御プログラムを提供することを目的とする。
【課題を解決するための手段】
【００１０】
本発明は上記目的を達成するため、ネットワーク通信網を通して所定のアドレス宛のデータを受信する受信装置で受信されたデータを受け取って処理するデータ処理装置であって、前記アドレスを認証する認証手段と、前記受信装置で受信された前記アドレス宛のデータの処理を前記認証手段の認証結果に応じて制御するデータ制御手段を備えたことを特徴とする。
【００１１】
また、本発明は、ネットワーク通信網を通して所定のアドレス宛のデータを受信する受信装置で受信されたデータを受け取って処理するデータ処理装置の制御方法であって、前記アドレスを認証する認証工程と、前記受信装置で受信された前記アドレス宛のデータの処理を前記認証工程の認証結果に応じて制御するデータ制御工程とを順次実行することを特徴とする。
【００１２】
また、本発明は、ネットワーク通信網を通して所定のアドレス宛のデータを受信する受信装置で受信されたデータを受け取って処理するデータ処理装置の制御方法を実行するための、コンピュータで読み取り可能な制御プログラムであって、前記アドレスを認証する認証ステップと、前記受信装置で受信された前記アドレス宛のデータの処理を前記認証ステップの認証結果に応じて制御するデータ制御ステップとを備えたことを特徴とする。
【発明の効果】
【００１３】
本発明によれば、受信者へ送信されてきた出力物のセキュリティを確保しつつ、受信者は確実に出力物を得ることが可能になる。さらに、受信者が何処に移動しても、送信者は常に同じアドレス宛に送信すればよく、受信者は確実に受信データを得ることができる。
【発明を実施するための最良の形態】
【００１４】
本発明のデータ処理装置及びその制御方法、及び制御プログラムの実施の形態について、図面を参照しながら説明する。
【００１５】
［第１の実施の形態］
＜第１の実施の形態の構成＞
図１は、本発明の第１の実施の形態に係るデータ処理装置を含む通信システムの構成を示す模式図である。
【００１６】
この通信システムは、インターネット１１を介して複合機１０とサーバ１２とが接続されている。さらに、サーバ１２が、例えばオフィス内に敷設されたＬＡＮを介して複数台の複合機１３１、１３２、１３３、１３４に接続されている。
【００１７】
なお、本実施の形態に係るデータ処理装置である複合機は、図示したようにプリンタ、ファクシミリ、複写機のいずれの形態を採ってもよいが、後述するようなＩＰｖ６プロトコルネットワークにおいて通信可能であることを前提とする。
【００１８】
したがって、本実施の形態において、複合機１０、複合機１３１〜１３４及びサーバ１２は、いずれもグローバルユニークなＩＰアドレス（ＩＰｖ６アドレス）を保持し、同様にインターネット１１はＩＰｖ６プロトコルネットワークとする。
【００１９】
図２は、図１中のサーバ１２の構成を示すブロック図である。
【００２０】
同図に示すように、このサーバ１２は、ＣＰＵ１２３、ＲＯＭ１２４及びＲＡＭ１２５に加えて、インターネット１１に接続されるネットワークインターフェス１２１と外部記憶装置であるハードディスク（ＨＤ）１２２とがバス１２６を介して接続されている。
【００２１】
ＣＰＵ１２３は、サーバ１２の全体の動作を制御する。ＲＡＭ１２５は一時記憶装置であり、ＲＯＭ１２４はプログラムなど、消去不可能なデータが組み込まれている読み取り専用メモリである。ＨＤ１２２は外部記憶装置であり、後述する所定のアドレス宛のデータ格納を行う。ネットワークインタフェース１２１は、サーバ１２が外部機器とデータ送受信を行う際に使用するインタフェースである。バス１２６は、各モジュールを接続する内部バスである。
【００２２】
図３は、図１中の複合機１３１〜１３４の構成を示すブロック図である。なお、本実施の形態では、複合機１３２〜１３４は同様の構成を採るが、その構成が多少異なっていても構わない。
【００２３】
例えば複合機１３１は、ＣＰＵ３５、ＲＯＭ３６、ＲＡＭ３７及びハードディスク（ＨＤ）３２を有するほか、ネットワークインタフェース３１、アドレス認証部３３、操作部３４、画像形成制御部３８、及びスピーカ３９を備え、これら各モジュールがバス３０を介して接続されている。
【００２４】
ＣＰＵ３５は、複合機１３１の全体の動作を制御する。ＲＡＭ３７は一時記憶装置であり、ＲＯＭ３６はプログラムなど、消去不可能なデータが組み込まれている読み取り専用メモリある。ＨＤ３２は外部記憶装置であり、ユーザーの送信先のアドレス情報やファックス番号、若しくはユーザーが格納した画像データ等が記憶されている。
【００２５】
さらに、ネットワークインタフェース３１は、当該複合機がサーバ１２等の外部機器とデータ送受信を行う際に使用するインタフェースである。画像形成制御部３８は、ネットワークインタフェース３１を介し送信されてきたデータを印字するための制御部であり、カラー印字、モノクロ印字のどちらでも可能な構成とする。
【００２６】
また、アドレス認証部３３は、受信者５０１が所有するアドレス認証端末５０２からのアドレス情報を無線で取得できる構成であり、ＣＰＵ３５によって、そのアドレス情報をサーバ１２に問い合わせることが可能である。操作部３４は、複合機とユーザーのマンインタフェースであり、複合機の制御命令の実行や情報の取得が可能である。スピーカ３９はユーザーへ音声で情報を通知する。
【００２７】
＜ＩＰｖ６におけるＩＰアドレス＞
次に、ＩＰｖ６におけるＩＰアドレス（以下、ＩＰｖ６アドレスと記す）の構成について説明する。
【００２８】
図４は、本実施の形態で使用するＩＰｖ６アドレスの構成を示す構成図であり、同図（ａ）はＩＰｖ６アドレスのフォーマットを示す基本構成図であり、同図（ｂ）はその表記方法を示す説明図である。
【００２９】
このＩＰｖ６アドレスは、１２８ｂｉｔの２進数で構成された識別ＩＤを持ち、その前半の６４ｂｉｔがネットワークアドレス部４０（別名をプレフィックスという）であり、後半の４ｂｉｔがホストアドレス部４１（別名をインタフェースＩＤという）である。
【００３０】
ネットワークアドレス部４０は、ＩＰｖ６対応端末機器が接続されたネットワークを識別するアドレスであり、ネットワークのリンク内（データリンク層で通信可能な範囲）にあるルータから通知される。ホストアドレス部４１は、端末機器に装備されているネットワークインタフェース処理装置に割り当てられている機器アドレス（ＭＡＣアドレス）を基に、端末機器自身が自動生成する。
【００３１】
ＭＡＣアドレスは、ネットワークインタフェース処理装置を提供するベンダーが、個々のネットワークインタフェース処理装置において、世界で一意になるように管理されているデータリンク層での通信を目的とした識別ＩＤである。したがって、このＭＡＣアドレスから生成されたホストアドレス部４１は、世界で唯一のアドレスになる。なお、ホストアドレス部４１は、その端末機器が接続されたリンク内で一意であればよく、ＭＡＣアドレスを基に生成されなくても構わない。すなわち、同一リンク内で同じホストアドレスがなく一意であれば、他のリンクのネットワークアドレスは個々に違うため、複数のリンクの相互接続であるインターネットの中で唯一のアドレスとなり、そのＩＰｖ６アドレスの一意性は保障される。
【００３２】
図４（ｂ）に示すものは、ＩＰｖ６アドレスの表記例であり、１２８ビットを１６ビットごとに「：」（コロン）で区切り、それぞれの１６ビットを１６進数で表記する。すなわち、「：」で区切られた８個の１６進数［０〜ｆｆｆｆ］で表記される。ＩＰｖ６アドレスの表記ルールでは、「０」が続くケースに限り、その部分を省略してよいという決まりがある。まず、コロンで区切られた１６ビットが全て「０」であるときは、「００００」ではなく、「０」と表記できる。その上で、複数の「０」がコロンでつながっているときは、コロンを連続して表記するという手法が使える。例えば、図示したように「ｆｅ８０：０：０：０：０：０：０：１」ならば、「ｆｅ８０：：１」という表記である。ただし、「：：」の表記を使えるのは１カ所のみである。
【００３３】
以上のように、ＩＰｖ６アドレスは、複数のリンクの相互接続であるインターネットの中で一意性があるグローバルなアドレスであり、本実施の形態はこのＩＰｖ６アドレスを受信者個人若しくは受信者のグループに割り当てることとする。
【００３４】
＜第１の実施の形態の処理＞
上記のような構成において、本実施の形態の処理について図５のフローチャートに基づいて説明する。
【００３５】
図５は、本発明の第１の実施の形態に係る処理を示すフローチャートである。
【００３６】
まず、受信者５０１が複合機１３１へ接近した際に、受信者が携帯しているアドレス認証端末５０２に格納されているＩＰアドレス情報が複合機１３１のアドレス認証部３に自動的に受信される（ステップＳ９１）。なお本実施の形態では受信者５０１には予めＩＰｖ６プロトコルによるＩＰアドレスが割り当てられている。
【００３７】
アドレス認証部３３によりＩＰアドレスを用いて受信者の認証処理を行い（ステップＳ９２）、認証が成立した場合には、受信者のＩＰアドレスは、ネットワークインタフェース５１を介してサーバ１２へ送信される（ステップＳ９３）。なお、アドレス認証部３３で認証が不成立の場合には処理を終了する。サーバ１２は、送信されてきたＩＰアドレスに割り当てられた外部記憶装置１２２内の受信領域を検索し、受信者宛の受信データがあるか否かを確認する（ステップＳ９４）。
【００３８】
受信者宛の受信データが存在する場合には、サーバ１２よりヘッダコマンドとともに受信データを複合機１３１へ送信する（ステップＳ９５）。サーバ１２からデータを受けた複合機１３１は、ヘッダコマンドにより、接近していた受信者５０１に対して受信データがあることをスピーカ３９から音声で通知する（ステップＳ９６）。音声を受けた受信者５０１は、操作部５４から受信データの処理方法を選択し指示することが可能である（ステップＳ９７）。例えば、そのまま複合機１３１から受信データを画像形成制御部５８によりプリント出力してもよいし（ステップＳ９８）、外部記憶装置５２に受信データを保存してもよい。また受信データを個人のパーソナルコンピュータ端末に送信するために受信データを加工して転送を行ってもよい（ステップＳ９９）。上記受信データの処理方法により所定の動作を行い終了する。
【００３９】
なお、サーバ１２へＩＰアドレス情報を送信し、サーバ１２が該ＩＰアドレスに割り当てられた外部記憶装置１２２内の受信領域を検索した結果、受信者宛の受信データが存在しない場合には、サーバ１２よりヘッダコマンドのみを複合機１３１へ送信し、サーバ１２からデータを受けた複合機１３１は、ヘッダコマンドにより、接近していた受信者５０１に対して受信データがないことをスピーカ３９から音声で通知し（ステップＳ１００）、処理を終了する。
【００４０】
以上説明したように、ＩＰｖ６プロトコルによるＩＰアドレスを受信者それぞれに割り当てることにより、送信者側は常にそのＩＰアドレスに送信データを送付するだけでよく、オフィスのフロア移動等があった際にも、受信者側は最寄りのファクシミリからデータ送信してもらうために改めて取引先等の送信者側全てにその都度、移動先のファックス番号を通知する等の必要がなくなる。
【００４１】
一方、受信者側は、サーバ１２以下の通信網において自分宛のデータを任意の時間に任意の機器で確認することができ、さらにその際に受信データの処理を選択し指示することが可能となり、受信者へ送信されてきた出力物を受信者本人が受け取りにくるまでに周囲へのセキュリティは守られ、自分宛の出力物が他人宛の出力物に混在することも防ぐことができる。
【００４２】
［第２の実施の形態］
次に、本発明の第２の実施の形態を説明する。
【００４３】
＜第２の実施の形態の構成＞
図６は、本発明の第２の実施の形態に係るデータ処理装置を含む通信システムの構成を示す模式図であり、図１と共通の要素には同一の符号を付し、その説明を省略する。
【００４４】
この通信システムは、図１の構成において、サーバ１２に接続される複合機として、本実施の形態に適用される複合機６００、６０１、６０２、６０３を備えている。複合機６００、６０１は、４００ｄｐｉの解像度での印字能力を持つカラー複合機とモノクロ複合機であり、複合機６０２、６０３は、１２００ｄｐｉの解像度での印字能力を持つカラー複合機とモノクロ複合機である。
【００４５】
さらに、本実施の形態においても、第１の実施の形態と同様に複合機１０、複合機６００〜６０３、サーバ１２はいずれもグローバルユニークなＩＰアドレスを保持し、ＩＰｖ６アドレスとする。同様にインターネット１１はＩＰｖ６プロトコルネットワークとする。
【００４６】
図７は、図６中の複合機の構成を示すブロック図であり、図８は、第２の実施の形態に係る受信データの表示方法を説明するための操作部の表示例を示す外観図である。
【００４７】
図７に示す本実施の形態の複合機６００〜６０３の構成は、第１の実施の形態の図３に示した構成と基本的に同様である。異なる点は、アドレス認証のために受信者が提供するIPアドレス情報を、無線ではなく操作部３４から入力し、アドレス認証部７３で認証を行うようにした点である。また、本実施の形態の画像形成制御部７８は、モノクロ印字が可能な構成になっており、印字できる解像度は４００ｄｐｉである。本実施の形態における解像度の印字能力とカラー／モノクロ印字能力は、図３における画像形成制御部３８の構成をそれぞれに適した構成にすることにより実現できる。
【００４８】
さらに、ＩＰｖ６プロトコルにおけるＩＰアドレスの構成も第１の実施の形態と同様であり、１２８ビットの前半６４ビットに当たる該ネットワークアドレス部４０は、ＩＰｖ６対応端末機器が接続されたネットワークを識別するアドレスであり、ネットワークのリンク内（データリンク層で通信可能な範囲）にあるルータから通知され、これを獲得する。後半６４ビットに当たる該ホストアドレス４１は、その端末機器が接続されたリンク内で、一意であればよくＭＡＣアドレスをもとに生成する手法だけではない。すなわち、同一リンク内で同じホストアドレスがなく、一意であれば、他のリンクのネットワークアドレスは個々に違うため、複数のリンクの相互接続であるインターネットの中で一意となり、そのＩＰｖ６グローバルＩＰアドレスの一意性は保障されている。
【００４９】
以上のようなＩＰｖ６プロトコルによるＩＰアドレスは、上述したように複数のリンクの相互接続であるインターネットの中で一意性があるグローバルなアドレスであり、本実施の形態においても、このアドレスを受信者個人若しくは受信者のグループに割り当てることとする。
【００５０】
＜第２の実施の形態の処理＞
次に、上記のような構成で、本実施の形態の処理を図９のフローチャートに基づいて行う。図９は、本発明の第２の実施の形態に係る処理を示すフローチャートである。
【００５１】
まず、受信者５０１が複合機６００の操作部７４より自分のＩＰアドレスを通知する（ステップＳ１０）。通知方法は操作部７４より直接アドレスを入力してもよいし、セキュリティのためにパスワードをさらに入力してもよい。なお、本実施の形態においても第１の実施の形態と同様に受信者５０１には予めＩＰｖ６プロトコルによるＩＰアドレスが割り当てられている。
【００５２】
そして、アドレス認証部７３によりIPアドレスを用いて受信者の認証処理を行い（ステップＳ１１）、認証が成立した場合には、受信者よりＩＰアドレスが操作部７４よりネットワークインタフェース３１を介しサーバ１２へ送信される（ステップＳ１２）。なお、アドレス認証部７３で認証されない場合には、本処理を終了する。サーバ１２は送信されてきたＩＰアドレスに割り当てられた外部記憶装置１２２内の受信領域を検索し、受信者宛の受信データがあるか否かを確認する（ステップＳ１３）。
【００５３】
受信者宛の受信データが存在する場合には、サーバ１２よりヘッダコマンドとともに受信データを複合機６００へ送信する（ステップＳ１４）。サーバ１２からデータを受けた複合機６００はヘッダコマンドにより操作部７４から受信者５０１に受信データがあることを操作部７４に表示で通知する。
【００５４】
本実施の形態では、さらに受信データがあることだけでなく、図８のように送信者側が送信したデータの情報がどのようなデータであるかも付加して表示する（ステップＳ１５）。受信データがカラーデータで１２００ｄｐｉの解像度を持っている場合には、受信者５０１側のモノクロ印字／４００ｄｐｉの解像度ではデータを鮮明に印字できない等の判断を行い、指定の端末機器にサーバ１２から受信データを転送する指示を出すことが可能である（ステップＳ１６）。
【００５５】
こうして受信者５０１は、カラーデータで１２００ｄｐｉの出力が可能である複合機６０２へサーバ１２より受信データを転送することで、情報量を損なうことなく受信データを印字することができる（ステップＳ１８）。また、そのままモノクロ画像で構わない場合には複合機６００より出力してもよい（ステップＳ１７）。このように上記受信データの処理方法により所定の動作を行い終了する。
【００５６】
なお、サーバ１２へＩＰアドレス情報を送信し、サーバ１２が送信されてきたＩＰアドレスに割り当てられた外部記憶装置１２２内の受信領域を検索した結果、受信者宛の受信データが存在しない場合には、サーバ１２よりヘッダコマンドのみを複合機６００へ送信し、サーバ１２からデータを受けた複合機６００は、ヘッダコマンドにより操作部７４から受信者５０１に受信データがないことを操作部７４に表示で通知し（ステップＳ１９）、処理を終了する。
【００５７】
以上説明したように、ＩＰｖ６プロトコルによるＩＰアドレスを受信者それぞれに割り当てることにより、送信者側は常にそのＩＰアドレスに送信データを送付するだけでよく、受信者側でも受信データの情報がどのようなものであるかをサーバ１２より確認し、サーバ以下の通信網において適正な端末機器に転送させることで、その情報量を損ねることなく適正に受信データを印字させることができる。
【００５８】
なお、第１と第２の実施の形態においては、サーバ１２をそれぞれの複合機の上流に持たせ、そのサーバ１２にてデータの一次受信を行う場合についてのみ説明したが、サーバ１２ではなく複合機のどれか一つに本実施の形態におけるサーバ１２の機能を持たせ、本実施の形態と同様の形態を採ることも可能である。
【００５９】
また、本発明の目的は、実施の形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００６０】
この場合、記憶媒体から読み出されたプログラムコード自体が前述した実施の形態の機能を実現することになり、そのプログラムコード及び該プログラムコードを記憶した記憶媒体は本発明を構成することになる。
【００６１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００６２】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００６３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【００６４】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００６５】
【図１】第１の実施の形態に係るデータ処理装置を含む通信システムの構成を示す模式図である。
【図２】図１中のサーバ１２の構成を示すブロック図である。
【図３】図１中の複合機１３１〜１３４の構成を示すブロック図である。
【図４】ＩＰｖ６アドレスの構成を示す構成図である。
【図５】第１の実施の形態に係る処理を示すフローチャートである。
【図６】第２の実施の形態に係るデータ処理装置を含む通信システムの構成を示す模式図である。
【図７】図６中の複合機の構成を示すブロック図である。
【図８】第２の実施の形態に係る受信データの表示方法を説明するための操作部の表示例を示す外観図である。
【図９】第２の実施の形態に係る処理を示すフローチャートである。
【符号の説明】
【００６６】
１１  インターネット
１２  サーバ  
３３，７３  アドレス認証部
３５  ＣＰＵ
３６  ＲＯＭ
３７  ＲＡＭ
７４  操作部
７８  画像形成制御部
１３１〜１３４，６００〜６０３  複合機
５０２  アドレス認証端末
【図１】
2006293703.tif 000003
【図２】
2006293703.tif 000004
【図３】
2006293703.tif 000005
【図４】
2006293703.tif 000006
【図５】
2006293703.tif 000007
【図６】
2006293703.tif 000008
【図７】
2006293703.tif 000009
【図８】
2006293703.tif 000010
【図９】
2006293703.tif 000011